(57)【要約】【課題】  複数枚のトレイを備えた収納部を薄型化することのできる光ディスク装置を提供する。【解決手段】  本体１３内に収容されている複数枚のトレイ２１は、トレイ２１に収納されている光ディスク１２を厚み方向に挟むように付勢されている。このため、トレイ２１と光ディスク１２との間の隙間を詰めることにより、複数枚のトレイ２１の厚さを減少させて、光ディスク装置１０のコンパクト化を図ることができる。また、複数枚のトレイ２１は、バネ部材１７により弾性的に厚み方向に挟むように付勢されている。このため、トレイ２１に収納されている光ディスク１２には所定の弾性力以上の押圧力が作用しないので、収納されている光ディスク１２が破損するのを防止することができる。【選択図】  図３
2006059482.tif 000002
【特許請求の範囲】
【請求項１】
複数の光ディスクを内部に収納可能な本体と、前記本体の内部において前記各光ディスクを個別に保持する複数のトレイとを備えている光ディスク装置であって、
前記各トレイの外周部と前記各トレイに保持された光ディスクの外周部とが略全周に亘って接触した光ディスク装置。
【請求項２】
前記各トレイは、前記各トレイに保持された光ディスクと略同心の中空部を有した請求項１記載の光ディスク装置。
【請求項３】
前記各トレイが前記各光ディスクを厚み方向に押し挟む方向に付勢する付勢手段を有した請求項１または請求項２記載の光ディスク装置。
【請求項４】
前記付勢手段は、外部からの振動を付勢する付勢力を有した請求項３記載の光ディスク装置。
【請求項５】
前記付勢手段は、前記トレイと載置された前記光ディスクの接触面とを密接させる付勢力と外部からの振動を付勢する付勢力との和よりも大きい付勢力を有した請求項３記載の光ディスク装置。
【請求項６】
前記付勢手段が前記各トレイに対して複数箇所設けられた請求項３ないし請求項５のいずれかに記載の光ディスク装置。
【請求項７】
前記付勢手段は、一端が前記トレイに固定され他端が前記本体に固定されたバネ部材からなる請求項３ないし請求項６のいずれかに記載の光ディスク装置。
【発明の詳細な説明】
【技術分野】
【０００１】
本発明は、複数の光ディスクを収納するために複数のトレイを備えた多連奏型の光ディスク装置に関するものである。
【背景技術】
【０００２】
従来より、複数枚の光ディスクを装置の本体内部に収納しておき、所望の光ディスクを選択して記録再生する多連奏型の光ディスク装置が開発されている（例えば特許文献１参照）。
この特許文献１に開示されている光ディスク装置においては、筐体内の収納部に複数枚のトレイが昇降可能に積層配置されていて、トレイの枚数と同数の光ディスクを筐体内に収納することができるようになっている。そして、所望の光ディスクを収納しているトレイ等を上下移動させて所望の光ディスクに対して作業空間を設け、所望の光ディスクに対して記録あるいは再生を行う。
【特許文献１】特開２００１−１６７４９９号公報（図１）
【発明の開示】
【発明が解決しようとする課題】
【０００３】
ところで、従来の光ディスク装置においては、トレイの全周がつながっていない構成であり、収納された光ディスクを、光ディスクの周方向において均一に保持できず、さらにトレイの強度が不足するため、トレイに収納されたディスクの反りを除去することができなかった。そのため、ディスクの反りを考慮した分だけ光ディスク装置が厚くなってしまうという問題があった。
【０００４】
本発明は、従来の問題を解決するためになされたもので、収納された光ディスクの反りに影響されることなく薄型化することのできる光ディスク装置を提供することを目的とする。
【課題を解決するための手段】
【０００５】
本発明の光ディスク装置は、複数の光ディスクを内部に収納可能な本体と、前記本体の内部において前記各光ディスクを個別に保持する複数のトレイとを備えている光ディスク装置であって、前記各トレイの外周部と前記各トレイに保持された光ディスクの外周部とが略全周に亘って接触した構成を有している。
【０００６】
この構成により、複数のトレイの各トレイの外周部が略全周に亘って接触して光ディスクを保持しているため、光ディスクの周方向において均一に力を加えることが可能であり、収納された光ディスクの反りに影響されることなく光ディスク装置を薄型化することができることとなる。
【０００７】
また、本発明にかかる光ディスク装置は、前記各トレイは、前記各トレイに保持された光ディスクと略同心の中空部を有した構成を有している。
【０００８】
この構成により、光ディスクの周方向において均一に力を加えることが可能であり、収納された光ディスクの反りに影響されることなく光ディスク装置を薄型化することができるとともに、装置の軽量化を図ることができる。
【０００９】
また、本発明にかかる光ディスク装置は、前記各トレイが前記各光ディスクを厚み方向に押し挟む方向に付勢する付勢手段を有した構成を有している。
【００１０】
この構成により、光ディスクの大きな反りに対してもトレイに対して十分な力を付勢することができるため、より確実にディスクの反りによる影響を排除することができることとなる。
【００１１】
また、本発明にかかる光ディスク装置は、前記付勢手段は、外部からの振動を付勢する付勢力を有した構成を有している。
【００１２】
この構成により、光ディスク装置の薄型化が実現できるとともに振動対策の部品を別途追加することなく、外部からの振動を受けても安定動作を行うことができる光ディスク装置を提供することができることとなる。
【００１３】
また、本発明にかかる光ディスク装置は、前記付勢手段は、前記トレイと載置された前記光ディスクの接触面とを密接させる付勢力と外部からの振動を付勢する付勢力との和よりも大きい付勢力を有した構成を有している。
【００１４】
この構成により、挿入された光ディスクの反りに影響されることのない光ディスク装置の薄型化を実現することができるとともに、外部からの振動を受けても安定動作を行うことができる光ディスク装置を提供することができることになる。
【００１５】
また、本発明にかかる光ディスク装置は、前記付勢手段が前記各トレイに対して複数箇所設けられた構成を有している。
【００１６】
この構成により、トレイに対して均一に付勢力を加えることができる。
【００１７】
また、本発明にかかる光ディスク装置は、前記付勢手段は、一端が前記トレイに固定され他端が前記本体に固定されたバネ部材からなる構成を有している。
【００１８】
この構成により、バネ部材からなる簡単な構成で付勢手段を実現することができることとなる。
【発明の効果】
【００１９】
本発明は、複数のトレイの各トレイの外周部が略全周に亘って接触して光ディスクを保持しているため、光ディスクの周方向において均一に力を加えて光ディスクの反りの影響を除去することが可能であり、収納された光ディスクの反りに影響されることなく光ディスク装置を薄型化することができるものである。
【発明を実施するための最良の形態】
【００２０】
以下、本発明の実施形態の光ディスク装置について、図面を用いて説明する。
図１には、本発明の実施形態の光ディスク装置１０を内蔵するカーオーディオ装置１の全体斜視図が示されている。
このカーオーディオ装置１では、光ディスク装置１０のほかにラジオ２、カセットテープ再生装置３等を内蔵しており、前面パネル４には、全機能に共用される表示部４ａや電源／ボリュームつまみ４ｂに加えて、光ディスク装置１０における光ディスク挿脱口１１、ラジオ用のチューニングつまみ２ａ、カセットテープ挿入口３ａ等が設けられている。また、内部には、ラジオ２、カセットテープ再生装置３、光ディスク装置１０等を制御する制御部５が設けられている。
【００２１】
図２には、カーオーディオ装置１に内蔵されている本発明の実施形態である光ディスク装置１０の、図１中II−II位置から見た平面図が示されており、図３には、図２中III方向から見た側面図が示されている。
【００２２】
図２および図３に示すように、光ディスク装置１０は、複数の光ディスク１２を内部に収納可能な本体１３と、この本体１３の内部において各光ディスク１２を個別に保持する複数のトレイ２１からなるディスク収納部２０とを備えている。トレイ２１には、光ディスク１２を保持するための円形の保持部２２が設けられており、この保持部２２には、円形の中空部２２ａが切りかかれている。また、保持部２２からアーム状に突出したアーム部２３を有しており、アーム部２３の先端には、ガイドピン１５に沿って上下移動するためのガイド穴２４が設けられている。トレイ２１の外周縁の所定位置には、前述した付勢手段としてスプリングのようなバネ部材１７を係止する係止部２５が設けられており、このバネ部材１７により積層されている各トレイ２１を互いに押し挟む方向に付勢されている。
【００２３】
図２に示すように、本体１３内部におけるトレイ２１の近傍（図２中右側）には、先端に光ディスク１２を挟持して回転するターンテーブル３１を有する回動アーム３０が、支軸３２を中心として回動自在に設けられている。回動アーム３０のサスシャーシ３３には、図示省略の光ヘッドを備えたピックアップ３４が支軸３２とターンテーブル３１の中心とを結ぶ方向に沿って往復移動自在に設けられており、駆動モータ３５によって回転されるリードスクリュ３６によって移動するようになっている。
なお、挿脱口１１の本体１３内側には、上下対を成す搬送ローラ１６が設けられており、挿脱口１１に挿入された光ディスク１２を搬入したり、記録再生が完了した光ディスク１２を挿脱口１１から排出するようになっている。
【００２４】
図３に示すように、本体１３の内部には、複数枚のトレイ２１が所定間隔で積層して設けられており、各トレイ２１を互いに押し挟む方向に付勢するバネ部材１７がトレイ２１の外周縁に沿って複数箇所設けられている。
【００２５】
各トレイ２１は、隣接するトレイ２１と接触している状態でもさらに押し付ける方向に付勢されるように、バネ部材１７を伸ばした状態で等間隔でバネ部材１７に取り付ける。なお、隣接するトレイ２１が完全に密着しないようにする場合には、隣接する少なくとも一方のトレイにスペーサ（図示省略）を取り付けるようにしてもよい。この場合には、隣接するトレイ２１の間隔が光ディスク１２の厚さよりも小さくなるようにする。これにより、常時は、収納されている光ディスク１２を隣接する２枚の光ディスク１２で押圧して保持することができる。
また、昇降部材１８が最下段のトレイ２１の下面に接触して上下移動可能に設けられており、最下段のトレイ２１を昇降させることによりすべてのトレイ２１を昇降させることができるようになっている。
【００２６】
以上のように構成された、本実施の形態にかかる光ディスク装置１０の動作について説明する。
(１)光ディスク１２のローディング動作
まず、光ディスク１２に対するディスク装置のローディング動作について図１、図２、図３を用いて説明する。
光ディスク１２のディスク装置へのローディングを行う場合には、図示していない動力源を動作させることにより、ディスク収納部２０を本体１３に対して昇降動作させ、ディスク収納部２０を所定のディスク搬送高さに搬送する。
【００２７】
次に、所定のディスク搬送高さに搬送されたトレイを、図示していない動力源を動作によって、その他のトレイ２１との間隔を確保するようにトレイ開口動作を行う。
また、光ディスク１２のローディングを可能にするように、各トレイ２１に光ディスク１２を保持するために設けられたディスク外周保持部材（図示せず）を解除状態に動作させる。
上述のような動作により、ディスク装置は光ディスク１２の挿入待ち状態になる。
【００２８】
次に、光ディスク１２が利用者によってディスク装置に設けた本体１３のディスク挿脱口１１の内部に挿入されると、図示していない検出手段によってディスク装置内部に光ディスク１２が挿入されたことを検出し、ディスク装置は動力源の動作を開始させて、ローラ部材１６、１６の回転を開始する。
光ディスク１２が利用者によってさらに挿入されると、光ディスク１２とローラ部材１６が接触することによって、光ディスク１２のオートローディングが開始されて、光ディスク１２はローディング完了位置まで搬送される。
【００２９】
光ディスク１２がローディング完了位置まで搬送されると、図示していない動力源を動作させることにより、各トレイ２１に設けた図示していないディスク外周保持部材で光ディスク１２の外周部を保持するとともに、そのトレイ２１とそのトレイ２１に隣接する他のトレイ２１との間隔を狭くするトレイ開口動作を行う。
この動作により、光ディスク１２のトレイ２１への収納（ローディング）を完了する。
なお、光ディスク１２のローディング完了の検出は、図示していない検出手段によって行う。
複数枚の光ディスク１２を各トレイ２１に収納する場合には、上述の動作を繰り返すことにより、複数枚の光ディスク１２を各トレイ２１に収納する動作（ローディング動作）を行う。
【００３０】
（２）光ディスク１２のイジェクト動作
次に、光ディスク１２に対するディスク装置のイジェクト動作について図１、図２、図３を用いて説明する。
光ディスク１２のディスク装置へのローディングを行う場合には、図示していない動力源を動作させることにより、ディスク収納部２０を本体１３に対して昇降動作させ、所定のディスク搬送高さに搬送する。
【００３１】
次に、図示していない動力源を動作させることにより、イジェクトする光ディスク１２を保持しているトレイ２１に設けた図示していないディスク外周保持部材を回避させ、イジェクトする光ディスク１２の保持を解除するとともに、所定のディスク搬送高さに搬送されたトレイ２１とその他のトレイ２１との間の間隔を一定の隙間以上の隙間を確保するようにトレイ開口動作を行う。
【００３２】
次に、ディスク装置は動力源の動作を開始させて、搬送ローラ１６の回転を開始するとともに、図示していない動力源や動力手段を用いて、収納されていた光ディスク１２をディスクイジェクト方向に搬送する。そして、光ディスク１２と搬送ローラ１６が接触することによって、光ディスク１２のオートイジェクトを行い、光ディスク１２はイジェクト完了位置まで搬送される。光ディスク１２がイジェクト完了位置まで搬送されると、動力源の動作を停止させることで搬送ローラ１６の回転、つまり光ディスク１２の搬送を停止させる。
なお、光ディスク１２のイジェクト完了の検出は、図示していない検出手段によって行う。
複数枚の光ディスク１２をイジェクトする場合には、上述の動作を繰り返すことにより、複数枚の光ディスク１２のイジェクト動作を行う。
【００３３】
（３）光ディスク１２の記録再生動作
次に、光ディスク１２に対するディスク装置の記録再生動作について図１、図２、図４、図５、図６、図７、図８を用いて説明する。図４は本発明の実施の形態におけるディスク記録再生部である回動アーム３０のスイング動作時のディスク装置要部の側面図、図５は本発明の実施の形態におけるディスク記録再生時のディスク装置要部の上面図、図６は本発明の実施の形態におけるディスク記録再生部のスイング動作完了時のディスク装置要部の側面図、図７は本発明の実施の形態におけるディスククランプ時のディスク装置要部の側面図、図８は本発明の実施の形態におけるディスク記録再生時のディスク装置要部の側面図である。
【００３４】
まず、図１、図３に示すように、図示していない動力源を動作させることにより、ディスク収納部２０を本体１３に対して昇降動作させ、所定のディスク（記録再生ディスク１２Ｃ）をディスク搬送高さに搬送する。
次に、図４に示すように、図示していない動力源を動作させることにより、記録再生ディスク１２Ｃより装置下側の下トレイ２１ｂや中間トレイ２１ｃや収納された光ディスク１２を装置下側に搬送する。これにより、回動アーム３０をディスク収納装置２０の中に進入可能にする。
【００３５】
なお、図４の状態では、記録再生ディスク１２Ｃは中間トレイ２１ｃに配置された図示していないディスク外周部保持部材により保持されており、記録再生ディスク１２Ｃの装置下方向への変位は規制されている。
また、上トレイ２１ａにも中間トレイ２１ｃ同様に図示していないディスク外周保持部材が配置され、ディスク収納装置２０の最上段に収納された光ディスク１２を記録再生する場合にも同様の動作を行う。
【００３６】
次に、図５、図６に示すように、図示していない動力源を動作させることにより、回動アーム３０を本体１３に対して、支軸３２を支点に回動させる。この動作により、回動アーム３０のディスク記録再生位置への搬送を完了する。
なお、上トレイ２１ａや中間トレイ２１ｃに配置されたディスク外周保持部材は、回動アーム３０の回動動作範囲を逃げた位置に構成されている。
上述のように上トレイ２１ａや中間トレイ２１ｃ、図示していないディスク外周保持部材を配置することにより、ディスク収納部２０の薄型化と回動アーム３０の回動動作範囲を両立しつつ、上トレイ２１ａや中間トレイ２１ｃや下トレイ２１ｂをディスク収納部２０に収納された光ディスク１２の外径全周と接続するように構成されている。
【００３７】
次に、図７に示すように、図示していない動力源を動作させることにより、記録再生ディスク１２Ｃを保持した中間トレイ２１ｃを装置下側に搬送し、記録再生ディスク１２Ｃをターンテーブル３１上に搬送するとともに、図示していないディスククランプ手段により記録再生ディスク１２Ｃのターンテーブル３１上への保持を完了する。
なお、図７の状態では、記録再生ディスク１２Ｃの１段上に収納された光ディスク１２は中間トレイ２１ｃに配置された図示していないディスク外周保持部材により保持されており、光ディスク１２の装置下方向への変位も規制されている。
【００３８】
次に、図８に示すように、動力源（図示せず）を動作させることにより、中間トレイ２１ｃに配置した図示していないディスク外周保持部材を回避させることで、記録再生ディスク１２Ｃの保持を解除するとともに、記録再生ディスク１２Ｃを保持していた中間トレイ２１ｃを装置上側に搬送し、記録再生ディスク１２Ｃの記録再生を可能にする。この動作により、ディスク装置は記録再生状態になる。
なお、記録再生ディスク１２Ｃをディスク収納装置２０に収納する場合には、上述のような記録再生動作の逆の動作を行う。
【００３９】
本実施の形態にかかる光ディスク装置１０は上述のように一連の動作を行うものであるが、すなわち、所望の光ディスク１２を選択し、この光ディスク１２に隣接するトレイ２１の間隔をあけて作業空間を形成し、トレイ２１の間隔は、光ディスク１２を収納しているトレイ２１を下降させたり、あるいは収納しているトレイ２１との協働により光ディスク１２を挟んでいる上側のトレイ２１を上昇させることにより拡げることができる。このとき、各トレイ２１はバネ部材１７によって弾性的に支持されているので、容易に上下方向に移動させることができる。
また、回動アーム３０を作業空間に対応して上下移動させるとともに回動させて作業空間内における記録再生位置に位置決めするとともに所望の光ディスク１２をターンテーブル３１の上に載置する。そして、ピックアップ３４をサスシャーシ３３に沿って移動させて、光ディスク１２Ａに対して記録再生を行うものである。
【００４０】
以上、このような本発明の実施の形態の光ディスク装置１０によれば、各トレイ２１間の間隔を狭めるので、積層された複数枚のトレイ２１を備えたディスク収納部２０の厚さを減少させることができ、光ディスク装置１０のコンパクト化を図ることができる。また、光ディスク１２の反り量が大きい場合には、バネ部材１７がトレイ２１を付勢する際の付勢力を、光ディスク１２の接触面とを密接させる付勢力と、外部からの振動を吸収する付勢力との和よりも大きくすることで、トレイ２１を密着させることにより、光ディスク１２の反り量を強制的に小さくすることができるので、ディスク収納部２０を薄くするとともに、光ディスク１２の反りの矯正も可能である。さらに、外部から振動が印加された場合でも、バネ部材１７がトレイ２１を付勢する際の付勢力を、光ディスク装置１０の外部からの振動を吸収する付勢力とすることで、安定した動作を確保することができることになる。
【００４１】
また、トレイ２１に作用する力はバネ部材１７による弾性的な力なので、過度な力が作用して、トレイ２１間に収納されている光ディスク１２を傷付けるのを防止することができる。また、光ディスク１２の収納時や再生時にトレイ２１間を開く必要がある場合でも、容易に開くことができる。
【００４２】
なお、前述した実施形態において、トレイ２１に中空部２２ａを設けた場合について説明したが、中空部２２ａを有していないトレイを用いても収納された光ディスク１２の反りの影響を受けずに光ディスク装置１０を薄型化することも可能である。
また、ラジオ２やカセットテープ再生装置３等を備えたカーオーディオ装置１に内蔵されている場合について説明したが、その他、光ディスク装置１０が単独の場合についても同様に実施可能である。
【産業上の利用可能性】
【００４３】
以上のように、本発明に係る光ディスク装置は、複数のトレイの各トレイの外周部が略全周に亘って接触して光ディスクを保持しているため、光ディスクの周方向において均一に力を加えることが可能であり、収納された光ディスクの反りに影響されることなく光ディスク装置を薄型化することができるという効果を有し、複数の光ディスクを収納するために複数のトレイを備えた多連奏型の光ディスク装置として有用である。
【図面の簡単な説明】
【００４４】
【図１】本発明の実施形態の光ディスク装置を内蔵するカーオーディオ装置の全体斜視図
【図２】本発明の実施の形態である光ディスク装置の図１中II−II位置から見た平面図
【図３】図２中III方向から見た側面図
【図４】本発明の実施形態におけるディスク記録再生部である回動アームのスイング動作時のディスク装置要部の側面図
【図５】本発明の実施形態におけるディスク記録再生時のディスク装置要部の上面図
【図６】本発明の実施形態におけるディスク記録再生部のスイング動作完了時のディスク装置要部の側面図
【図７】本発明の実施の形態におけるディスククランプ時のディスク装置要部の側面図
【図８】本発明の実施形態におけるディスク記録再生時のディスク装置要部の側面図
【符号の説明】
【００４５】
１０    光ディスク装置
１２    光ディスク
１３    本体
１７    バネ部材（付勢手段）
２１    トレイ
２２ａ  中空部
【図１】
2006059482.tif 000003
【図２】
2006059482.tif 000004
【図３】
2006059482.tif 000005
【図４】
2006059482.tif 000006
【図５】
2006059482.tif 000007
【図６】
2006059482.tif 000008
【図７】
2006059482.tif 000009
【図８】
2006059482.tif 000010